(57)【要約】遠隔計測を実施するためのシステムは、複数の移動通信機器（１００）、計測を実施するために各移動通信機器に設けられるセンサ（１１０）及びセンサ制御部（１２０）、これらの移動通信機器が利用するセルラー方式通信網機構、及びこれら複数の移動通信機器（１００）から計測データを受信し、これら移動通信機器（１００）の各々のセンサ制御部（１２０）に計測指示を送信するための通信手段を有するサーバから構成され、このセンサ制御部（１２０）はサーバによってプログラム制御される。
2006501698.tif 000002
【特許請求の範囲】
【請求項１】
複数の移動通信機器、
計測を実施するために各移動通信機器に設けられるセンサ及びセンサ制御部、
前記複数の移動通信機器が利用するセルラー方式通信網機構、及び
前記複数の移動通信機器から計測データを受信し、前記移動通信機器の各々のセンサ制御部に計測指示を送信するための通信手段を有するサーバを有することを特徴とする遠隔計測システム。
【請求項２】
前記センサ制御部は前記サーバによってプログラム制御されることを特徴とする請求項１記載のシステム。
【請求項３】
前記センサ制御部は所定の時点において計測を行うことを特徴とする請求項１又は２記載のシステム。
【請求項４】
前記センサ制御部は前記サーバから受信する指示に応じて計測を行うことを特徴とする請求項１乃至３のいずれかに記載のシステム。
【請求項５】
前記センサ制御部は、所属する移動通信機器が前記通信網を介して通信を確立する際に計測結果を伝送することを特徴とする請求項１乃至４のいずれかに記載のシステム。
【請求項６】
請求項１乃至５のいずれかに記載のシステムにおいて適用される移動通信機器であって、
セルラー方式通信網を介する通信を確立する通信部、及び
計測を実行するためのセンサ及びセンサ制御部を有することを特徴とする移動通信機器。
【請求項７】
移動通信機器のセンサ制御部に計測を行うように指示し、
セルラー方式通信網を介して移動通信機器から計測データを取得する工程を有する遠隔計測方法。
【請求項８】
前記計測の指示は少なくとも前記セルラー方式通信網内の移動通信機器の場所に基づいて行われることを特徴とする請求項７記載の方法。
【請求項９】
前記計測データの取得は、前記移動通信機器が前記セルラー方式通信網を介して通信を確立する際に実行されることを特徴とする請求項７又は８記載の方法。
【請求項１０】
前記計測データは通信信号において符号化されることを特徴とする請求項９記載の方法。
【請求項１１】
通信サービス契約者に所属する移動通信機器によって実施された計測から得られる計測データを通信網を介して受信するのに応じて、前記通信サービス契約者の請求情報にクレジットを付与することを特徴とするセルラー方式通信網の通信料請求方法。
【発明の詳細な説明】
【技術分野】
【０００１】
本発明は遠隔計測を実現するシステムに関する。
【背景技術】
【０００２】
遠隔計測は各種パラメータを現場で計測するために適用される。遠隔計測法を適用して計測データを中継することによって、計測を行うためのインフラが著しく簡略化されうる。しかし、このような場合においても、通信機能を有する計測器を設置することが必要である。多くの計測が要される場合はこのような計測器を設置するのに相当コストがかかり、特に計測が様々な場所で及び／又は実質的に同時に要される場合このような問題が生じる。
【発明の開示】
【発明が解決しようとする課題】
【０００３】
本発明は改善された遠隔計測システムを提供することを目的とし、特に計測精度を維持しながらより少ないリソースで動作可能なシステムを提供することを目的とする。
【課題を解決するための手段】
【０００４】
上記目的は請求項１に記載されるシステムによって達成される。複数の携帯電話などの通信機器を遠隔計測プラットフォームとして用いることによって、数多くの計測器を確保することが可能である。また既存の移動通信網のインフラ機構を用いることにより計測データを伝送するためのコストが著しく低減されうる。
【０００５】
本発明はさらに移動通信網設定において実施される計測についての報酬提供方法に関する。あるユーザの電話によって行われた計測に対する報酬として例えば請求額から一定額差引、又は請求額の割引などのクレジットを提供することにより、ユーザは本発明を適用するよう動機付けられ、計測が要される際ユーザは自らの電話が計測を行うことに対して協力的になる。これにより本発明による遠隔計測システムはより効果的に動作しうる。
【発明を実施するための最良の形態】
【０００６】
以下において本発明による好適な実施例を添付図面を参照しながら説明する。
【０００７】
図１は隣接し合う複数の六角セル１０を有する携帯電話通信網１の概略を示す。これら六角セル１０は、それぞれセルの中心に位置する基地局の伝送タワーの圏域を表す。この通信網１はさらにＭＴＳＯ（Ｍｏｂｉｌｅ  Ｔｅｌｅｐｈｏｎｅ  Ｓｗｉｔｃｈｉｎｇ  Ｏｆｆｉｃｅ：移動電話交換局）を有し、このＭＴＳＯはこれらセル１０内での通信及び他の通信網セクションのＭＴＳＯとの通信とを管理調整する。ＭＴＳＯは通信網の圏内に存在する携帯電話の位置を追跡し、この情報をＭＴＳＯ内のデータベースに記録する。なお、ＭＴＳＯの機能は、典型的にはコンピュータシステムのソフトウェアによって実現される。また、ＭＴＳＯは、携帯電話を識別するために各携帯電話のＥＳＮ（Ｅｌｅｃｔｒｏｎｉｃ  Ｓｅｒｉａｌ  Ｎｕｍｂｅｒ）、各携帯電話の電話番号に関連するＭＩＮ（Ｍｏｂｉｌｅ  Ｉｄｅｎｔｉｆｉｃａｔｉｏｎ  Ｎｕｍｂｅｒ）、及び各電話の通信サービスプロバイダに関連するＳＩＤ（Ｓｙｓｔｅｍ  Ｉｄｅｎｔｉｆｉｃａｔｉｏｎ  Ｃｏｄｅ）を記憶する。各携帯電話の位置は少なくともセルの大きさ単位の精度で把握することが可能で、これらの携帯電話がＧＰＳ（Ｇｌｏｂａｌ  Ｐｏｓｉｔｉｏｎｉｎｇ  Ｓｙｓｔｅｍ）などの地理的測位システムを具備する場合はこれらの位置をより正確に把握することが可能である。さらに契約者データに関する情報である識別データや請求データなどはデータベース形式でＭＴＳＯに記憶される。
【０００８】
図２は本発明の一実施形態による携帯電話１００の概略を示す。この携帯電話１００は、センサ１１０、及びセンサ制御部１２０を有する。センサ１１０は計測変数を計測信号に変換する計測処理を実行できるものであり、例えば温度センサ、気圧センサ、大気汚染度センサ、湿度センサ、速度センサ、などであってよい。センサ制御部１２０はセンサ１１０からの計測信号を読み取りこれを記憶することにより計測を開始する。また、計測データを記憶するためにこのセンサ制御部１２０はメモリを有する。さらにこのセンサ制御部１２０は、通信手段を用いてこの計測データをサーバに送信する。具体例として、センサ制御部１２０はこの計測データを電話会話データなどのデータ通信ストリームに含めることができる。このように主要信号に１又は複数の信号を含める技術はアナログ信号及びデジタル信号のどちらの分野においても知られている。これに対応する符号信号を復号する技術も同様に知られている。なお、計測データは例えば１又は複数の計測信号やタイムスタンプ、場所データ、ユーザ識別データなどを含むことが可能である。
【０００９】
本発明の一実施形態によると、例えばコンピュータシステムなどにおいて携帯電話から計測情報を受信するサーバＳＶＲが設置される（図１参照）。これを実現するためにサーバＳＲＶはＭＴＳＯと通信可能に接続されるかあるいはその他の手段により通信網に接続される。計測を受信するためには、通信ストリームに含まれている計測データが検知され、復号される必要がある。この検知及び復号は適用された符号方法に応じて実施される必要があり、例えばフィルタリング処理や逆多重化処理などから構成されうる。復号された計測は、更なる利用を想定して例えばデータベースに記憶され、又はデータストリームとして出力されるなどの処理を経ることが可能である。
【００１０】
なお、本発明のシステムは様々な用途を有し、以下においてこれらの用途のいくつかの例を説明するが、本発明はこれらの例に限定されるわけではない。
【００１１】
本発明の第１実施例によると、各移動通信機器は、所定の時点（例えば１２：００ＡＭ）において所定の計測（例えば気圧など）を行い、センサ制御部内にこの情報を記憶するようにプログラムされる。そして各移動通信機器が接続を確立するために通信網を利用する際、センサ制御部は計測データ（好ましくは計測時点におけるこの移動通信機器の場所情報を含むもの）を発信し、よってサーバはこの計測データを収集できる。その結果複数の移動通信機器からの計測データが収集され、所定の時点での所定の場所におけるデータ点（この例では気圧）が複数得られる。
【００１２】
また別の実施例によると、各センサ制御部はそれぞれの機器が所定の場所に入ると計測を行うようにプログラムされる。この場所はＧＰＳ座標などの絶対位置として指定されることが可能であり、またセルなどのネットワークに対する位置として指定されることも可能である。通信機器がこの場所に入ると、センサ制御部は計測を行いこの情報を記憶する。そして次の通信機会においてこのデータはサーバへ転送される。このようにしてある特定の場所についてのデータの収集が可能になる。また、場所に注目する計測の改造例として、各通信機器はラジオビーコンなどの外部からのトリガー信号を検知するセンサを有することが可能である。
【００１３】
また、さらに別の実施例によると、サーバは特定のセンサ制御部に計測を行って計測結果を同サーバに送信するように指示する手段を有する。好ましくは、このような指示の送信先は現在通信中の通信機器に限定される。これにより指示及び計測がリアルタイムに送信されうる。この実施例によると、数多くの計測場所からのリアルタイム計測が可能となる。また、センサ制御部はその場所に基づいて選択されうるため特定の場所又は領域からのリアルタイム計測を得ることが可能である。
【００１４】
また、センサ制御部はいくつかのトリガーに基づいて計測を行うことができる。例えば特定の場所に接近することが計測のトリガーとなりうる。また、特定場所の検知は予めプログラムされた場所情報及び電話によって計測されるＧＰＳに基づいて電話自身が実行することが可能である。また、電話はこの特定場所に設置されるトランスミッターなどの外部ソースからのトリガー信号を受信することも可能である。
【００１５】
本発明の更なる実施形態によると、電話通信サービスへの契約者は、このような計測を供給した報酬としてのクレジットを取得することができる。計測が適正にサーバへ転送された場合この電話のユーザにはクレジットが与えられる。このクレジットは例えば通信接続コストの割引などの形をとることができる。与えられたクレジットは例えばサーバなどにおけるユーザデータベースに記憶されることが可能である。なお、上記の例では主に携帯電話を適用した場合を説明したが、本発明は携帯電話の適用に限定されるわけではない。むしろ本発明は、セルラー方式通信網において通信を確立する通信手段を有するあらゆる移動通信機器（ＰＤＡなどを含む）を適用して実現されうる。
【００１６】
また、本発明において適用されるセンサは通信機器の一体構成部である必要はなく、例えば通信機器に脱着可能に接続されることも可能である。具体例としては自動車などの車両に設置されるセンサが本発明による通信機器に接続されることが可能である。車両のセンサは例えば温度センサや速度センサなどであってよい。このような構成の一例として、車両速度を測定する車両センサは交通渋滞が頻繁に起きる場所などの特定計測地点に接近することによってトリガーされて計測を行う。こうして得られるデータは交通整理などに用いられることが可能である。
【図面の簡単な説明】
【００１７】
【図１】本発明の一実施形態による携帯電話通信網の概略図である。
【図２】本発明の一実施形態による携帯電話の概略図である。
【図１】
2006501698.tif 000003
【図２】
2006501698.tif 000004
【国際調査報告】
2006501698.tif 000005
2006501698.tif 000006